(57)【特許請求の範囲】
【請求項１】
接続相手に接続するための導電性のコンタクトと前記コンタクトを保持固定したインシュレータとを有するコネクタにおいて、前記インシュレータに保持され前記コンタクトに対向した導電性のプレートを有し、前記プレートは前記接続相手に接触するための接点部をもつ少なくとも１つのバネ片を有し、前記バネ片は少なくとも１つのスリットにより複数の指片に分割されており、前記インシュレータは前記指片の根元部近傍に対応して前記スリットに配設された梁部を有し、前記梁部は指片の間に位置し、両端がインシュレータと一体形成されていることを特徴とするコネクタ。
【請求項２】
前記コンタクトは信号コンタクトとして使用され、前記プレートはグランドプレートとして使用される請求項１に記載のコネクタ。
【請求項３】
前記インシュレータの外側に備えた金属製のシェルをさらに含む請求項１又は２に記載のコネクタ。
【請求項４】
非導電性のインシュレータに、第２の接点方向に接触力を発生する第１の接点と、第１の接点方向に接触力を発生する第２の接点とを対向配設し、前記第１及び第２の接点の間に接続相手を嵌合し、対向する接触力により接続する電気コネクタにおいて、前記第２の接点の根元部から２股状に分かれた一対の指片と、前記一対の指片の間に位置し、両端が前記インシュレータと一体に形成された梁部とを有することを特徴とする電気コネクタ。
【請求項５】
請求項４に記載の電気コネクタにおいて、前記第１の接点は単独又は複数本使用され、信号コンタクトとして働くことを特徴とする電気コネクタ。
【請求項６】
請求項４に記載の電気コネクタにおいて、前記第２の接点は単独又は複数本使用され、グランド信号を流すグランドプレートとして働くことを特徴とする電気コネクタ。
【請求項７】
請求項４に記載の電気コネクタにおいて、外側部にシェルを設けたことを特徴とする電気コネクタ。
【発明の詳細な説明】
【０００１】
【発明の属する技術分野】
本発明は、例えばＬＣＤモニターの内部等に使用されるコネクタに関する。
【０００２】
【従来の技術】
ＬＣＤモニターの内部には、基板に搭載されるレセプタクルコネクタが備えられている。この種のレセプタクルコネクタとして、薄型に構成されたインシュレータと、インシュレータに整列して保持された複数の信号コンタクトと、インシュレータの厚み方向でこれらの信号コンタクトに対向しかつインシュレータの保持穴に圧入されたグランドプレートとを有したものがある（例えば、特許文献１参照）。そのレセプタクルコネクタにおいては、接続相手となるプラグコネクタに接続されるときに、信号コンタクト及びグランドプレートがバネとして働き、インシュレータの保持穴の縁部を支点としてインシュレータの厚み方向に変位するように設定されている。
【０００３】
【特許文献１】
特開２００１−２０３０４７号公報  （図１４−図１６）
【０００４】
【発明が解決しようとする課題】
しかしながら、インシュレータが薄型に構成されており、かつグランドプレートのインシュレータに保持された部分は幅広であるため、グランドプレートの変位即ちバネ変位を起こす力が保持力を上回り、保持穴を広げながらグランドプレートが変位する虞がある。その場合には、設定したバネ接触力が得られなくなる。
【０００５】
それ故に本発明の課題は、上述したグランドプレートの変位のようなバネ変位によるインシュレータの保持穴の広がりを防止し、設定値と同等のバネ接触力を得ることができるコネクタを提供することにある。
【０００６】
【課題を解決するための手段】
本発明によれば、接続相手に接続するための導電性のコンタクトと前記コンタクトを保持固定したインシュレータとを有するコネクタにおいて、前記インシュレータに保持され前記コンタクトに対向した導電性のプレートを有し、前記プレートは前記接続相手に接触するための接点部をもつ少なくとも１つのバネ片を有し、前記バネ片は少なくとも１つのスリットにより複数の指片に分割されており、前記インシュレータは前記指片の根元部近傍に対応して前記スリットに配設された梁部を有し、前記梁部は指片の間に位置し、両端がインシュレータと一体形成されていることを特徴とするコネクタが得られる。
【０００７】
前記コンタクトは信号コンタクトとして使用され、前記プレートはグランドプレートとして使用されてもよい。
【０００８】
前記インシュレータの外側に備えた金属製のシェルをさらに含んでもよい。
【０００９】
また本発明によれば、非導電性のインシュレータに、第２の接点方向に接触力を発生する第１の接点と、第１の接点方向に接触力を発生する第２の接点とを対向配設し、前記第１及び第２の接点の間に接続相手を嵌合し、対向する接触力により接続する電気コネクタにおいて、前記第２の接点の根元部から２股状に分かれた一対の指片と、前記一対の指片の間に位置し、両端が前記インシュレータと一体に形成された梁部とを有することを特徴とする電気コネクタが得られる。
【００１０】
前記第１の接点は単独又は複数本使用され、信号コンタクトとして働いてもよい。
【００１１】
前記第２の接点は単独又は複数本使用され、グランド信号を流すグランドプレートとして働いてもよい。
【００１２】
さらに外側部にシェルを設けても良い。
【００１３】
【発明の実施の形態】
図１−図３を参照して、本発明の実施の形態に係るコネクタの全体構造について説明する。
【００１４】
図示のコネクタは主にＬＣＤモニターの内部にて基板に搭載されるレセプタクルコネクタ１０であり、接続相手であるプラグコネクタ３０と電気的に接続するためのものである。プラグコネクタ３０は、複数の導電性の信号コンタクト３１と、これらの信号コンタクト３１を保持したインシュレータ３２と、インシュレータ３２の外側に設けた金属製のシェル３３と、シェル３３と一体のグランドコンタクト３４とを有している。なお、プラグコネクタ３０は、ＦＰＣとの中継コネクタ、又は細線ケーブルを結線した中継コネクタであリ得る。
【００１５】
レセプタクルコネクタ１０は、プラグコネクタ３０の信号コンタクト３１に接続するための複数の導電性の信号コンタクト１１と、これらの信号コンタクト１１を保持固定した薄型のインシュレータ１２とを有している。信号コンタクト１１は、インシュレータ１２の保持穴即ち圧入穴に圧入されることにより、インシュレータ１２の長手方向１３に並列に組み込まれて第１接点を構成する。各信号コンタクト１１はプラグコネクタ３０の信号コンタクト３１に圧接するためのバネ片１１ａを有している。
【００１６】
レセプタクルコネクタ１０は、さらに、インシュレータ１２に保持され信号コンタクト１１に対向した導電性のグランドプレート１４と、インシュレータ１２の外側に全体を覆うように備えた金属製のシェル１５とを有している。グランドプレート１４は、信号コンタクト１１と同様に、インシュレータ１２の保持穴即ち圧入穴に圧入されることにより、インシュレータ１２の長手方向１３に並列に組み込まれて第２接点を構成する。なお、シェル１５はグランドプレート１４に接触している。
【００１７】
さらに図４及び図５をも参照すると、グランドプレート１４はプラグコネクタ３０のグランドコンタクト３４に接触するための接点部をもつ少なくとも１つ（ここでは複数）のバネ片１６を有している。各バネ片１６は少なくとも１つのスリット１７を形成することにより、ばね性を有する複数の指片１８に分割されている（ここでは二股状に分かれた一対の指片にされている）。即ち、各バネ片１６には先端部からその幅広の保持部、つまり、インシュレータ１２の保持穴１２ａに圧入される部分にまでのびたスリット１７が形成されている。一方、インシュレータ１２には、指片１８の根元部近傍に対応してスリット１７に配設された梁部１９が形成されている。即ち、梁部１９は対の指片１８の間に位置し、両端をインシュレータ１２と一体に形成されている。なお、グランドプレート１４は、インシュレータ１２の保持穴１２ａに指片１８の先端を先にして圧入され、インシュレータ１２に係合固定される。
【００１８】
プラグコネクタ３０と嵌合する際に、信号コンタクト１１及びグランドプレート１４の各々の接触バネ部分はインシュレータ１２の保持穴１２ａの縁部を支点として変位する。即ち、プラグコネクタ３０の嵌合時には、信号コンタクト１１のバネ片１１ａは図３の下方へ変位し、グランドプレート１４のバネ片１６は図３の上方に変位する。しかし、グランドプレート１４のバネ片１６は対の指片１８に分かれ、その間のスリット１７にインシュレータ１２の梁部１９が形成されているので、インシュレータ１２のうちグランドプレート１４の上方に位置した壁部が薄いにもかかわらず、バネ片１６の変位によるインシュレータ１２の保持穴１２ａの広がりは防止される。したがって、設定値と同等のバネ接触力を得ることができる。
【００１９】
なお、上述ではＬＣＤモニターの内部に備えられるレセプタクルコネクタについて説明したが、他の種のコネクタにおいても本発明が同様に実施できることは言うまでもない。
【００２０】
【発明の効果】
以上説明したように、本発明によれば、グランドプレートの変位のようなバネ変位によるインシュレータの保持穴の広がりを防止し、設定値と同等のバネ接触力を得ることができるコネクタを提供することができる。
【図面の簡単な説明】
【図１】本発明の実施の形態に係るコネクタの全体構造を示す斜視図である。
【図２】図１のコネクタの要部のみの拡大斜視図である。
【図３】図１のコネクタを接続相手との接続状態で示した、図２のIII−III線に沿って得られた断面図である。
【図４】図１のコネクタにおけるインシュレータとグランドプレートとの関係を示した要部の拡大斜視図である。
【図５】図４のV−V線に沿って得られた断面図である。
【符号の説明】
１０  レセプタクルコネクタ
１１  信号コンタクト
１１ａ  バネ片
１２  インシュレータ
１２ａ  保持穴
１３  インシュレータの長手方向
１４  グランドプレート
１５  シェル
１６  バネ片
１７  スリット
１８  指片
１９  梁部
３０  プラグコネクタ
３１  信号コンタクト
３２  インシュレータ
３３  シェル
３４  グランドコンタクト
【図１】
0003689849.tif 000002
【図２】
0003689849.tif 000003
【図３】
0003689849.tif 000004
【図４】
0003689849.tif 000005
【図５】
0003689849.tif 000006